(57)【特許請求の範囲】
【請求項１】
下階床部と上階床部との間に中間床部が設けられ、この中間床部と下階床部との間に当該下階床部から出入り可能な収納空間が設けられ、
前記中間床部上に中間部屋が設けられ、
前記下階床部から上階の天井または前記中間部屋の天井高さ位置まで吹き抜ける吹抜け部が前記中間部屋に面して配置され、
前記下階床部上の部屋に、平面視において、前記吹抜け部が配置されている建物の空間構造であって、
下階床部と上階床部との間に階段が設けられ、この階段の踊り場が前記中間床部と面一に連続しており、
玄関が平面視において前記階段を挟んで前記収納空間と反対側に配置され、
前記踊り場の下方に、前記玄関と前記収納空間とを連通する連通空間が設けられており、この連通空間の床の少なくとも一部が前記収納空間の床および前記下階床部と面一であることを特徴とする建物の空間構造。
【請求項２】
請求項１に記載の建物の空間構造において、
前記連通空間は前記玄関の玄関土間に連通しており、
前記玄関土間の床が前記玄関土間側に位置する前記連通空間の床より低いことを特徴とする建物の空間構造。
【請求項３】
請求項１に記載の建物の空間構造において、前記連通空間は前記玄関の玄関土間に連通しており、
前記連通空間の床のうち前記玄関側の一部が前記玄関の玄関土間の床と面一になっており、前記連通空間の床のうち、前記収納空間側の一部が前記収納空間の床と面一であることを特徴とする建物の空間構造。
【請求項４】
請求項１〜３のいずれか一項に記載の建物の空間構造において、
前記収納空間を挟んで前記連通空間と反対側に位置し、かつ、前記収納空間に面する外壁に戸が設けられていることを特徴とする建物の空間構造。
【発明の詳細な説明】
【技術分野】
【０００１】
本発明は、建物の空間構造に関する。
【背景技術】
【０００２】
下階床部と上階床部との間に中間床部が設けられ、この中間床部と下階床部との間に収納空間が設けられた建物の一例として特許文献１に記載のものが知られている。
この建物では、玄関のある第１層の床上で、平面視において第１層のリビングに隣り合う位置に、第１層の床より半階高い第２層が設けられ、この第２層上に居室と廊下が設けられ、この廊下が平面視において第１層のリビングに隣接している。
また、第２層の床と第１層の床との間に大型収納区画を構成する蔵型収納室が設けられ、第１層のリビングに第１層から第２層に至る階段が設けられ、さらに、前記蔵型収納室の出入口が第１層のリビングに面して設けられている。
【先行技術文献】
【特許文献】
【０００３】
【特許文献１】特開２００５−９７９３２号公報
【発明の概要】
【発明が解決しようとする課題】
【０００４】
ところで、上記のような建物では、第１層（１階）のリビングと、第２層（１．５階）の居室とは、半階ずれて配置されているので上下方向には比較的近い位置にあるが、平面視において廊下を挟んで配置されているため１階のリビングと、１．５階の居室との間でコミュニケーションをとり難かった。すなわち、１．５階の居室に居る住人が１階のリビングに居る住人とコミュニケーションをとるには、１．５階の居室と廊下とを仕切る壁に設けられたドア等を開けて、居室から廊下に出なければならず、居室に居たままではコミュニケーションをとり難い。
【０００５】
本発明は上記事情に鑑みてなされたもので、下階の部屋と、中間床部上の中間部屋との間でコミュニケーションを容易にとることができる建物の空間構造を提供することを課題としている。
【課題を解決するための手段】
【０００６】
上記課題を解決するために、請求項１に記載の発明は、例えば図１〜３に示すように、
建物の空間構造であって、下階床部１と上階床部２との間に中間床部３が設けられ、この中間床部３と下階床部１との間に当該下階床部１から出入り可能な収納空間４が設けられ、
前記中間床部３上に中間部屋１４が設けられ、
前記下階床部１から上階の天井または前記中間部屋１４の天井高さ位置まで吹き抜ける吹抜け部２５が前記中間部屋１４に面して配置され、
前記吹抜け部２５は、平面視において、前記下階床部上の部屋５ａに配置されている建物の空間構造であって、
下階床部１と上階床部２との間に階段１３が設けられ、この階段１３の踊り場１３ａが前記中間床部３と面一に連続しており、
玄関２０が平面視において前記階段１３を挟んで前記収納空間４と反対側に配置され、
前記踊り場１３ａの下方に、前記玄関２０と前記収納空間４とを連通する連通空間２１が設けられており、この連通空間２１の床の少なくとも一部が前記収納空間４の床および前記下階床部１と面一であることを特徴とする。
【０００７】
請求項１に記載の発明によれば、下階床部１から上階の天井または中間部屋１４の天井高さ位置まで吹き抜ける吹抜け部２５が中間部屋１４に面して配置され、下階床部上の部屋５ａに、平面視において、前記吹抜け部２５が配置されているので、下階床部上の部屋５ａと中間部屋１４とは吹抜け部２５によって繋がった状態となる。
したがって、下階床部上の部屋５ａと、中間床部上の中間部屋１４との間で吹抜け部２５を通してコミュニケーションを容易にとることができる。
また、下階床部上の部屋５ａと中間部屋１４との間で吹抜け部２５を通して、通風や採光を確保できるので、下階床部上の部屋５ａに中間部屋１４から光を採り入れて、下階床部上の部屋５ａを明るくでき、また、下階床部上の部屋５ａと中間部屋１４とで空気を流通させることができる。
そして、玄関２０が平面視において階段１３を挟んで収納空間４と反対側に配置され、踊り場１３ａの下方に、玄関２０と収納空間４とを連通する連通空間２１が設けられているので、玄関２０から連通空間２１を通って収納空間４に容易にアクセスでき、玄関２０からの物の出し入れが可能となる。
さらに、連通空間２１の床の少なくとも一部が前記収納空間４の床および前記下階床部１と面一であるので、連通空間２１を収納空間４と連続する連続収納空間として利用できるとともに、下階床部上の部屋５ａから収納空間４および連通空間２１に段差なしで容易にアクセスできる。
【００１４】
請求項２に記載の発明は、請求項１に記載の建物の空間構造において、
前記連通空間２１は前記玄関２０の玄関土間２０ｂに連通しており、
前記玄関土間２０ｂの床が前記玄関土間側に位置する前記連通空間２１の床より低いことを特徴とする。
【００１５】
請求項２に記載の発明によれば、玄関土間２０ｂの床が玄関土間側に位置する連通空間２１の床より低いので、この床に玄関土間２０ｂの床からのごみや水の侵入を防止できる。
【００１６】
請求項３に記載の発明は、例えば図６に示すように、請求項１に記載の建物の空間構造において、
前記連通空間２１の床のうち前記玄関側の一部２１ｄが前記玄関２０の玄関土間２０ｂの床と面一になっており、前記連通空間２１の床のうち、前記収納空間側の一部２１ｅが前記収納空間４の床と面一であることを特徴とする。
【００１７】
請求項３に記載の発明によれば、連通空間２１の床のうち玄関側の一部２１ｄが玄関土間２０ｂの床と面一になっているので、この連通空間２１に玄関土間２０ｂから物を平行移動で収納でき、よって、外部で使用した物を玄関土間２０ｂから容易に収納できる。
また、連通空間２１の床のうち、収納空間側の一部２１ｅが収納空間４の床と面一であるので、連通空間２１の一部２１ｅを収納空間４と連続する連続収納空間として利用できる。
【００１８】
請求項４に記載の発明は、例えば図２および図６に示すように、請求項１〜３のいずれか一項に記載の建物の空間構造において、
前記収納空間４を挟んで前記連通空間２１と反対側に位置し、かつ、前記収納空間４に面する外壁１０ｂに戸２３が設けられていることを特徴とする。
【００１９】
請求項４に記載の発明によれば、収納空間４を挟んで連通空間２１と反対側に位置し、かつ、収納空間４に面する外壁１０ｂに戸２３が設けられているので、外部から戸２３を開けて収納空間４にアクセスできる。
【発明の効果】
【００２０】
本発明によれば、下階床部から上階の天井または中間部屋の天井高さ位置まで吹き抜ける吹抜け部が中間部屋に面して配置され、下階床部上の部屋に、平面視において、前記吹抜け部が配置されているので、下階の部屋と中間部屋とは吹抜け部によって繋がった状態となる。
したがって、下階床部上の部屋と、中間床部上の中間部屋との間で吹抜け部を通してコミュニケーションを容易にとることができる。
また、下階床部上の部屋と中間部屋との間で吹抜け部を通して、通風や採光を確保できるので、下階床部上の部屋に中間部屋から光を採り入れて、下階床部上の部屋を明るくでき、また、下階床部上の部屋と中間部屋とで空気を流通させることができる。
そして、玄関が平面視において階段を挟んで収納空間と反対側に配置され、踊り場の下方に、玄関と収納空間とを連通する連通空間が設けられているので、玄関から連通空間を通って収納空間に容易にアクセスでき、玄関からの物の出し入れが可能となる。
さらに、連通空間の床の少なくとも一部が前記収納空間の床および前記下階床部と面一であるので、連通空間を収納空間と連続する連続収納空間として利用できるとともに、下階床部上の部屋から収納空間および連通空間に段差なしで容易にアクセスできる。
【図面の簡単な説明】
【００２１】
【図１】本発明に係る建物の空間構造を備えた建物の一例を示すもので、建物の縦断面図である。
【図２】同、１階の平面図である。
【図３】同、２階の平面図である。
【図４】同、建物の正面図である。
【図５】同、建物の側面図である。
【図６】本発明に係る建物の空間構造を備えた建物の他の例を示すもので、１階の平面図である。
【発明を実施するための形態】
【００２２】
以下、図面を参照して本発明の実施の形態について説明する。
（第１の実施の形態）
図１〜図５は本発明に係る建物の空間構造を備えた建物の一例を示すものである。
図１に示すように、１階の床部である下階床部１と、２階の床部である上階床部２との間には中間床部３が設けられている。この中間床部３と下階床部１との間には下階床部１から出入り可能な収納空間４が設けられている。
収納空間４は天井高さが０．９ｍ〜１．４ｍ程度となっており、その床面は下階床部１の床面と面一になっている。
【００２３】
建物の１階には、図２に示すように、略中央部にリビングダイニング５ａとこれに連通するキッチン５ｂとからなるＬ字形の大型のＬＤＫ室５が配置されており、キッチン５ｂの北側にサニタリールーム６が配置されている。サニタリールーム６は洗面室６ａと浴室６ｂとトイレ６ｃとによって構成されている。
サニタリールーム６とリビングダイニング５ａとを仕切る壁には引戸７ａが設けられており、サニタリールーム６とキッチン５ｂとを仕切る壁には引戸７ｂが設けられている。したがって、これら引戸７ａ,７ｂを開けることによって、ＬＤＫ室５とサニタリールーム６とは、リビングダイニング５ａとキッチン５ｂとの双方で連通するようになっている。これによって、ＬＤＫ室５とサニタリールーム６との温度差を小さくできる。
【００２４】
前記リビングダイニング５ａの東側に前記収納空間４が配置されている。この収納空間４の略半分は、リビングダイニング５ａより南側に突出している。建物の南側の端部には、リビングダイニング５ａに面する外壁１０ａより南側に突出する平面視略コ字形の外壁１０ｂが設けられており、この外壁１０ｂの内側に前記収納空間４の南側半分が配置されている。なお、外壁１０ａの前方にはテラス１１が設けられている。
前記収納空間４とリビングダイニング５ａとを仕切る壁には出入口１２が設けられており、この出入口１２を通って下階床部１から収納空間４へアクセスできるようになっている。なお、出入口１２は引戸によって開閉可能となっている。
また、収納空間４の東側に面する外壁には、３個の小窓４ｄが設けられており、収納空間４に外部の光を取り込めるようになっている。
【００２５】
前記収納空間４の北側には、下階床部１から上階床部２に至る階段１３が設けられ、この階段１３の踊り場１３ａ（図３参照）が前記前記中間床部３と面一に連続しており、この中間床部３上に中間部屋１４が設けられている。したがって、中間部屋１４の床が前記踊り場１３ａと面一になっている。なお、中間部屋１４はリビングとして使用される。
また、中間部屋１４に面する東側の外壁には、窓１４ａが後述する吹抜け部２５と対向して設けられている。したがって、この窓１４ａから吹抜け部２５に外部から光を取り込むことができる。また、吹抜け部２５を上昇してきた空気を窓１４ａから外部に排出することもできる。
上階床部２上には、図３に示すように、寝室１５、子供部屋１６,１６が配置されており、これらには廊下１７から出入りできるようになっている。廊下１７は階段１３の下り口に接続されている。なお、前記外壁１０ｂは上階床部２より高くなっており、この外壁１０ｂの内側に中間部屋１４の南側の端部が設けられている。
また、子供部屋１６,１６間には、イオン送風機と換気扇を設けた、クローゼット１６ａが設けられており、このクローゼット１６ａに洗濯物や衣類を掛けておくことによって、送風よイオンの効果で乾燥除菌し、部屋干しの匂いを抑えることができる。
【００２６】
建物の１階には図２に示すように、玄関２０が平面視において前記階段１３を挟んで収納空間４と反対側に配置されている。この玄関２０は玄関ホール２０ａと、玄関土間２０ｂと、玄関ポーチ２０ｃとから構成されている。玄関ホール２０ａは下階床部１上に設けられており、玄関土間２０ｂは玄関ホール２０ａより低くなっている。
また、前記階段１３の踊り場１３ａの下方には、玄関２０の玄関土間２０ｂと収納空間４とを連通する連通空間２１が設けられており、この連通空間２１の床は収納空間４の床および下階床部１と面一となっている。また、連通空間２１は、当該連通空間２１と玄関２０を仕切る壁に設けられた出入口２２から収納空間４に向けて一直線状に延在する通路部２１ａと、この通路部２１ａの沿って設けられた二つの収納所２１ｂ,２１ｃとを備えており、収納所２１ｂは前記踊り場１３ａと上階床部２との間に位置する階段１３の下方に設けられ、収納所２１ｃは踊り場１３ａと下階床部１との間に位置する階段１３の下方に設けられている。
連通空間２１の床は下階床部１と面一となっているので、玄関土間２０ｂは連通空間２１の床より低くなっている。
また、前記収納空間４を挟んで連通空間２１と反対側に位置し、かつ、収納空間４に面する前記外壁１０ｂには戸２３が設けられている。この戸２３は引違い式のサッシ戸であり、高さは通常のサッシ戸より低くなっている。したがって、住人等がこの戸２３から収納空間４にアクセスする場合、腰を屈めた状態で行うようになっている。
【００２７】
図１および図２に示すように、リビングダイニング５ａには、下階床部１から中間部屋１４の天井高さ位置まで吹き抜ける吹抜け部２５が中間部屋１４に面して配置されている。すなわち、吹抜け部２５は平面視において中間部屋１４に隣接しかつ連通して配置されている。この吹抜け部２５の幅は、収納空間４の出入口１２とほぼ同幅になっており、この出入口１２は吹抜け部２５面している。
中間部屋１４の床を構成する中間床部３の吹抜け部２５側の端部には、透明なガラス板で構成された手摺２６が設けられている。この手摺２６の高さは上階床部２の床面より低くなっている。
また、吹抜け部２５は、上階床部２上の部屋である寝室１５に面している。すなわち、吹抜け部２５は平面視において寝室１５に隣接しかつ連通して配置されている。具体的には寝室１５と吹抜け部２５との間にある壁２７には、開口部２８が形成されており、この開口部２８によって吹抜け部２５と寝室１５とは連通している。開口部２８はその下辺部が大人の腰程度の高さに位置しており、当該開口部２８にはガラス窓が設けられている。このガラス窓は嵌め殺し式のものであるが、開閉式であってもよい。
【００２８】
また、図３に示すように、２階の寝室１５の前には、バルコニー３０が１階のテラス１１上に設けられている。このバルコニー３０の端部には、格子状に孔が多数設けられることによって上下に通風および採光可能とするグレーチング板で構成された床３１がバルコニー３０に床と同高さに設けられている。この床３１は前記コ字形の外壁１０ｂの内側に配置されており、バルコニー３０から開閉戸を通って出入り可能となっている。
また、図２に示すように、１階のテラス１１の東側の端部は前記外壁１０ｂの内側に配置されているので、この端部の床上は、当該床から前記床３１を通って中間部屋１４の天井高さ位置まで吹き抜ける吹抜け空間となっている。
【００２９】
本実施の形態によれば、下階床部１から中間部屋１４の天井高さ位置まで吹き抜ける吹抜け部２５が中間部屋１４に面して配置され、下階床部１上のリビングダイニング５ａに、平面視において、吹抜け部２５が配置されているので、リビングダイニング５ａとリビングとして使用される中間部屋１４とは吹抜け部２５によって繋がった状態となる。
したがって、リビングダイニング５ａと、中間床部上の中間部屋１４との間で吹抜け部２５を通してコミュニケーションを容易にとることができる。
また、リビングダイニング５ａと中間部屋１４との間で吹抜け部２５を通して、通風や採光を確保できるので、リビングダイニング５ａに半階上の中間部屋１４から光を採り入れて、リビングダイニング５ａを明るくでき、また、リビングダイニング５ａと中間部屋１４とで空気を流通させることができる。
また、吹抜け部２５が上階床部２上の部屋である寝室１５に面しているので、この寝室１５と中間部屋１４とは吹抜け部２５によって繋がった状態となる。したがって、寝室１５と中間部屋１４との間で吹抜け部２５を通してコミュニケーションを容易にとることができる。
さらに、寝室１５と中間部屋１４との間で吹抜け部２５を通して、通風や採光を確保できるので、中間部屋１４に寝室１５ら光を採り入れて、中間部屋１４を明るくでき、また、寝室１５と中間部屋１４とで空気を流通させることができる。
【００３０】
また、下階床部１から収納空間４への出入口１２が吹抜け部２５に面しているので、吹抜け部２５を通して入ってくる光によって、出入口１２近傍を明るくすることができ、また、吹抜け部２５を上昇する空気の一部を出入口１２から収納空間４にとりこむことができ、収納空間４の空気の入れ替えに役立つ。
また、玄関２０が平面視において階段１３を挟んで収納空間４と反対側に配置され、踊り場１３ａの下方に、玄関２０と収納空間４とを連通する連通空間２１が設けられているので、玄関２０から連通空間２１を通って収納空間４にアクセスでき、玄関２０からの物の出し入れが可能となる。
【００３１】
さらに、連通空間２１の床が収納空間４の床および下階床部１と面一であるので、連通空間２１を収納空間４と連続する連続収納空間として利用できるとともに、下階床部１上の部屋であるリビングダイニング５ａから収納空間４および連通空間２１に段差なしで容易にアクセスできる。
また、玄関土間２０ｂの床が連通空間２１の床より低いので、この床に玄関土間２０ｂの床からのごみや水の侵入を防止できる。
また、収納空間４を挟んで連通空間２１と反対側に位置し、かつ、収納空間４に面する外壁１０ｂにサッシ戸２３が設けられているので、外部からサッシ戸２３を開けて収納空間４にアクセスできる。したがって、収納空間４は外部、玄関土間２０ｂ、リビングダイニング５ａの三方からアクセスできるので、非常に使い勝手がよいものとなる。
【００３２】
（第２の実施の形態）
図６は、第２の実施の形態を示すもので、１階の平面図である。この図に示す第２の実施の形態が前記第１の実施の形態と異なる点は、収納空間と連通空間の構成であるので、以下ではこの構成について詳しく説明し、第１の実施の形態と共通構成部分には同一符号を付してその説明を省略または簡略化する。また、本実施の形態では、建物の２階の間取りは第１の実施の形態と同一であるので、その図示と説明を省略する。
【００３３】
図６に示すように、本実施の形態では、収納空間４の南側半分が土間４ｂとなっており、この土間４ｂの床面は北側半分の床面４ａより低くなっている。なお、土間４ｂの床面は玄関土間２０ｂの床面と同じ高さとなっている。また、収納所２１ｂの床面も土間４ｂの床面と同じ高さになっている。
また、連通空間２１の床のうち玄関側の一部の床２１ｄが玄関２０の玄関土間２０ｂの床と面一になっており、連通空間２１の床のうち、収納空間側の一部の床２１ｅが収納空間４の床と面一となっている。
【００３４】
第２の実施の形態では、第１の実施の形態と同様の効果を得ることができる他、連通空間２１の床のうち玄関側の一部の床２１ｄが玄関土間２０ｂの床と面一になっているので、この連通空間２１に玄関土間２０ｂから物を平行移動で収納でき、よって、外部で使用した物を玄関土間２０ｂから容易に収納できる。
また、連通空間２１の床のうち、収納空間側の一部の床２１ｅが収納空間４の床と面一であるので、連通空間２１の一部を収納空間４と連続する連続収納空間として利用できる。
【符号の説明】
【００３５】
１  下階床部
２  上階床部
３  中間床部
４  収納空間
５ａ  リビングダイニング（下階床部上の部屋）
１０ｂ  外壁
１２  出入口
１３  階段
１３ａ  踊り場
１４  中間部屋
１５  寝室（上階床部上の部屋）
２０  玄関
２０ｂ  玄関土間
２１  連通空間
２３  戸
２５  吹抜け部
【図１】
0005687511.tif 000002
【図２】
0005687511.tif 000003
【図３】
0005687511.tif 000004
【図４】
0005687511.tif 000005
【図５】
0005687511.tif 000006
【図６】
0005687511.tif 000007